(57)【要約】  複数のビーコン装置（１２，１４，２０）と共に用いられる移動装置（１０）の電力を節約する方法と、そのようなシステムで用いられる装置。そのような複数ビーコン装置の内の最初の一つのビーコン装置からの第一の所定範囲の第一の位置に移動装置が位置している場合に、そのような複数ビーコン装置からのデータを移動装置が検出し、そして、受信する。移動装置はそれ自身の移動を検出する機能を備えており、最初の一つのビーコン装置を検出すると、移動装置は、第一の位置から移動したと判断するまで、そのような複数ビーコン装置を検出不能になる。
2005513973.tif 000002
【特許請求の範囲】
【請求項１】
複数のビーコン装置と共に用いられる移動装置の電力を節約する方法であって、
そのような複数ビーコン装置の内の最初の一つのビーコン装置からの第一の所定距離内の第一の位置に前記移動装置が位置している場合に、そのような複数ビーコン装置からのデータを前記移動装置が検出し、受信し、そして、前記移動装置がそれ自身の移動を検出し、
前記最初の一つのビーコン装置を検出すると、前記移動装置は、前記第一の位置から移動したと判断するまで、そのような複数ビーコン装置を検出不能になる方法。
【請求項２】
前記移動装置はそれ自身が移動した距離を測定し、そして、前記移動装置が前記第一の位置から少なくとも第二の所定距離移動するまで通信が不能になる請求項１に記載の方法。
【請求項３】
複数のビーコン装置と共に用いられる移動装置であって、
そのような複数ビーコン装置の内の最初の一つのビーコン装置からの第一の所定距離内の第一の位置に前記移動装置が位置している場合に、そのような複数ビーコン装置からのデータを検出し、そして、受信することができる通信手段と、
前記移動装置の移動を検出することができる検出手段とを備え、
前記通信手段が前記最初の一つのビーコン装置を検出すると、前記第一の位置から前記移動装置が移動したと前記検出手段が判断するまで、前記通信手段がそのような複数ビーコン装置を検出不能になる移動装置。
【請求項４】
前記検出手段は前記移動装置が移動した距離を測定するように動作可能であり、前記移動装置が前記第一の位置から少なくとも第二の所定距離移動するまで前記通信手段が不能になる請求項３に記載の移動装置。
【請求項５】
前記検出手段は、前記複数ビーコンの検出された一つからのデータ送信における受信信号強度により前記移動装置が移動した距離を測定するように動作可能である請求項３に記載の移動装置。
【請求項６】
前記通信手段は前記複数ビーコンの二つ乃至それ以上からからの信号を検出するように動作可能であり、前記検出手段は、前記二つ乃至それ以上のビーコンから受信した信号における受信信号強度の変化により移動した距離を測定するように動作可能である請求項４に記載の移動装置。
【請求項７】
前記移動装置が代替手段を介して前記通信手段と通信を確立できるように前記通信手段とさらなる通信手段とが動作可能である請求項３乃至６いずれかにに記載の移動装置。
【請求項８】
前記通信手段はＲＦリンクを介してデータを交換するよう動作可能である請求項３乃至７いずれかに記載の移動装置。
【請求項９】
請求項３乃至８いずれかに記載の移動装置と複数の前記ビーコン装置とを備えた通信システム。
【発明の詳細な説明】
【技術分野】
【０００１】
この発明は、携帯用又は移動用の通信装置、特に、地理的に限定された送信範囲を有する固定送信機（以後、通常、ビーコンと称する）からの送信データを受信するように構成されそして動作しうる通信装置の電力を節約する方法に関する。この発明は、さらに、そのような方法が実施されるように構成され又は制御される装置に関する。
【背景技術】
【０００２】
移動電話や個人情報端末ＰＤＡ（Ｐｅｒｓｏｎａｌ  ｄｉｇｉｔａｌ  ａｓｓｉｓｔａｎｔｓ）のような携帯装置が、それらのオーナーによりいつも携帯され使用される状態で、それらの機能増強が民生電機産業のゴールとして増大している。この一例は、そのような装置が、ユーザがアクセスしたいと思う付加的データのソースと通信できるような、追加の（通常ワイヤレス）通信機能である。既に通信網を介してデータにアクセスできる携帯電話では、そのような追加通信機能は、特定地域の小売店、特定地域でのイベント等々の特別なサービス等のローカル・データを利用可能にするローカル・ビーコンからの付加的データを装置が収集できるような比較的短い距離の無線機能という形態をとることもある。そのような短い（又は長い）距離での機能は、現行の通信機能が無い例えばＰＤＡのような装置にも設けられている。そのような機能を有する装置、そして各種サービスをサポートするデータ配信設備が、本出願の優先日には未公開の本出願の譲請け人の係属出願ＰＣＴ  ＥＰ０１/０６９４６とＥＰ０１/１３０１５に記載されている。
【０００３】
Ｂｌｕｅｔｏｏｔｈ（ＢｌｕｅｔｏｏｔｈはＥｒｉｃｓｓｏｎの登録商標）、（従来のそして短距離仕様の）８０２．１１、ＲＦＬｉｔｅ、ＲＦ（無線周波数）仕様で知られる８０２．１５、そして、赤外線を用いた適切な短距離リンクの例であるＩｒＤＡと一体となって、そのようなさらなる通信リンクを介してのデータ送信のための適切なプロトコルが直ぐに利用できる。
【０００４】
移動装置とビーコンとの接続を確立するメカニズムは、通常、それが従うプロトコルにより変わる。例えば、あるメカニズムは、移動装置とビーコンとがメッセージを交換して完全なる接続を確立することを含むものでもよいし、又は、ビーコンの送信範囲内でそのビーコンからすべての移動装置に（アクセス制御無しに）送信されるデータ又はメッセージを移動装置が単にピックアップするものでもよい。
【発明の開示】
【発明が解決しようとする課題】
【０００５】
生じる問題としては、移動装置は、通常、バッテリ駆動であり、移動装置のユーザがアクセスしたいと望むビーコン配信データの存在を検出するために、もし移動装置がＲＦ又はＩＲ（又は他のワイヤレス接続手段）環境を継続的にモニターする必要がある場合、バッテリの電力が著しく低下することである。
【０００６】
従って、この発明の目的は、ビーコンをモニターするために生じる電力損失を低減する手段を提供することである。
【課題を解決するための手段】
【０００７】
この発明の第一の観点によれば、複数のビーコン装置と共に用いられる移動装置の電力を節約する方法が提供され、そのような複数ビーコン装置の内の最初の一つのビーコン装置からの第一の所定距離内の第一の位置に前記移動装置が位置している場合に、そのような複数ビーコン装置からのデータを前記移動装置が検出し、受信し、そして、前記移動装置がそれ自身の移動を検出し、前記最初の一つのビーコン装置を検出すると、前記移動装置は、前記第一の位置から移動したと判断するまで、そのような複数ビーコン装置を検出不能になる。判断がなされない第一の位置から前記装置が移動した後に判断がなされるというようにビーコン検出スキームを限定することにより、ビーコンが検出されない位置での無駄な電力消費が避けられる。
【０００８】
前記移動装置はそれ自身が移動した距離を測定してもよく、そして、前記移動装置が前記第一の位置から少なくとも第二の所定距離移動するまで通信が不能になってもよい。このようにして、移動が小さく、そして、新たなビーコンと遭遇するかも知れない位置に移動したというには不十分なとき、めったに移動しない移動装置が無駄にビーコンを探査することを避けることができる。
【０００９】
さらにこの発明によれば、複数のビーコン装置と共に用いられる移動装置が提供され、そのような複数ビーコン装置の内の最初の一つのビーコン装置からの第一の所定距離内の第一の位置に前記移動装置が位置している場合に、そのような複数ビーコン装置からのデータを検出し、そして、受信することができる通信手段と、
前記移動装置の移動を検出することができる検出手段とを備え、
前記通信手段が前記最初の一つのビーコン装置を検出すると、前記第一の位置から前記移動装置が移動したと前記検出手段が判断するまで、前記通信手段がそのような複数ビーコン装置を検出不能になる。
【００１０】
前記検出手段は前記移動装置が移動した距離を測定するように動作可能としてもよく、前記移動装置が前記第一の位置から少なくとも第二の所定距離移動するまで前記通信手段が不能になる。前記検出手段は、前記複数ビーコンの検出された一つからのデータ送信における受信信号強度により前記移動装置が移動した距離を測定するように動作可能であってもよい。あるいは、前記通信手段は前記複数ビーコンの二つ乃至それ以上からからの信号を検出するように動作可能であり、前記検出手段は、前記二つ乃至それ以上のビーコンから受信した信号における受信信号強度の変化により移動した距離を測定するように動作可能であってもよい。そのような構成では、前記装置が移動したか（そしてどの程度）を判断するのに三角測量や他の既知の技術を用いてもよい。
【００１１】
前記通信手段を備える前記移動装置は、代替手段を介して前記通信手段と通信を確立できるようなさらなる通信手段を備えてもよい。前記通信手段はＲＦリンクを介してデータを交換するよう動作可能であってもよい。
【００１２】
この発明は、さらに、上述の移動装置と複数の前記ビーコン装置とを備えた通信システムを備える。
【００１３】
この発明のさらなる特徴並びに効果は、二つのビーコンからの信号を受信する移動装置を示す添付図面と共に、例のみを挙げて示した好ましい実施形態の以下の説明により明らかになる。
【発明を実施するための最良の形態】
【００１４】
図はビーコン装置１２，１４，２０のアレイと共に用いられる移動装置１０の電力を節約する方法を示し、移動装置は、Ｂｌｕｅｔｏｏｔｈ又は８０２．１１等の既知の通信プロトコルに適切に準拠する通信機能を有し、少なくともビーコン１２，１４からのメッセージ送信を受信する通信段１６を備える。図に見られるように、移動装置１０は、ビーコン１２，１４からのデータ・メッセージを受信するが、（２０Ａで示される）ビーコン２０の送信範囲外に位置し、従って、そのビーコンからのビーコン・メッセージをスキャンしても否の結果となる。
【００１５】
移動装置は、さらに、様々な形態を取りうる移動検出器段１８を備え、そして、移動装置が最後にビーコン１２，１４を検出して以来、移動装置がその位置を大きく（所定距離又は範囲内で）変えたかを検出する。この検出は、ビーコン１２，１４の一つ又は両方からの受信信号強度を定期的にチェック又はこれら二つのビーコンからの信号の相対的信号タイミングによるものでもよい。
【００１６】
もし、移動装置は大きく移動していないと検出器が示したら、通信段１６はさらなるビーコン信号をスキャンニングすることを禁止される。従って、移動装置のバッテリ電力が節約される。
【００１７】
本開示内容から、他の変形例が当業者にとって明らかであろう。そのような変形例は、通信システム、及び又はネットワーク・アクセス装置、そしてそのデバイスやコンポーネントの設計、製造そして使用において既に知られている他の特徴を含むこともあり、それは、ここに記載した特徴の代わりに又は共に用いられるものである。
【図面の簡単な説明】
【００１８】
【図１】複数のビーコン装置のアレイと共に用いられる移動装置の電力を節約する方法を示す図である。
【図１】
2005513973.tif 000003
【国際調査報告】
2005513973.tif 000004
2005513973.tif 000005